(57)【要約】【課題】操縦安定性とともに乗り心地性能が良好であり且つ異音の問題も解決されたスタビライザブッシュを提供する。【解決手段】スタビライザバーを車体に弾性支持させるゴム弾性体製のスタビライザブッシュ１０において、挿通孔３０の周壁面３０Ａの上部及び下部に、スタビライザバーの軸心に向い半環状に突出する突出部３２及び３４を設けて、それらによりスタビライザバーを上下方向に弾性的に挟むようにする。そして周壁面３０Ａの軸方向の両側の上部及び下部とスタビライザバーとの間に半環状の隙間を形成する。更に周壁面３０Ａの上部及び下部にエア，水を軸方向に排出可能な軸方向溝４２，４４を複数条設けるとともに、それらを周方向溝４６，４８にて互いに連絡する。【選択図】        図４
2007112318.tif 000002
【特許請求の範囲】
【請求項１】
スタビライザバーを挿通させる貫通の挿通孔を有し、外周面が剛性の固定ブラケットの嵌合部の内周面に弾性圧接状態に嵌合されて該固定ブラケットにより車体に固定され、該スタビライザバーを該車体に弾性支持させるゴム弾性体製のスタビライザブッシュにおいて
軸方向の中央部且つ前記挿通孔の周壁面の上部及び下部に、前記スタビライザバーの外周面に弾性嵌合する内周嵌合面を備え、該スタビライザバーの軸心に向い突出する部分環状の上側突出部及び下側突出部をそれぞれ設け、それら上側突出部及び下側突出部にて該スタビライザバーを上下方向に弾性的に挟むようになすとともに、
前記周壁面の、前記上側突出部及び下側突出部に対する軸方向の両側の上部及び下部と該スタビライザバーの外周面との間に、周方向に部分環状をなして軸端で開口する上側隙間及び下側隙間を形成せしめ、且つ該周壁面の軸方向両側の上部及び下部に、軸方向に延び軸端で外部に開放されてエア，水を軸方向に排出可能な上側軸方向溝及び下側軸方向溝を周方向に沿って複数条設けるとともに、それら軸方向溝を周方向に連絡する上側周方向溝及び下側周方向溝を設けたことを特徴とするスタビライザブッシュ。
【請求項２】
請求項1において、前記挿通孔が上下方向に長円状をなしているとともに前記上側突出部及び下側突出部が半環状に突出していて前記内周嵌合面が半円状をなしており、前記上側周方向溝及び下側周方向溝がそれら突出部に沿って半円状に且つそれら突出部に対し軸方向に隣接した位置に設けられていることを特徴とするスタビライザブッシュ。
【請求項３】
請求項１，２の何れかにおいて、前記周壁面は、上下方向の中間部且つ車体の前後方向の両側の部分が前記スタビライザバーの外周面に対して軸方向全長に亘り押圧状態に弾性接触する前後方向の支持面とされていることを特徴とするスタビライザブッシュ。
【請求項４】
請求項１〜３の何れかにおいて、前記外周面の前記固定ブラケットの嵌合部の内周面に嵌合接触する外周嵌合面の全面に亘って、第１方向溝と該第１方向溝に対して交差する第２方向溝とをそれぞれ所定間隔で複数条設けて、該外周嵌合面の全面を凹凸形状となし、且つ少なくとも一方の溝を該外周嵌合面の軸方向の一端から他端まで延在させて、各端を外部に開放状態としたことを特徴とするスタビライザブッシュ。
【請求項５】
請求項４において、前記第１方向溝が軸方向に延びる溝であり、前記第２方向溝が周方向に延びる溝であることを特徴とするスタビライザブッシュ。
【請求項６】
請求項４，５の何れかにおいて、前記外周面の軸方向の両端部に、周方向に沿って延びる突条部が設けられており、前記少なくとも一方の溝が該突条部の軸方向内側の内面まで延びていることを特徴とするスタビライザブッシュ。
【請求項７】
請求項１〜６の何れかにおいて、前記固定ブラケットによる固定によって前記車体に弾性圧接状態に着座せしめられる底面の着座面の全面に亘って、第３方向溝と該第３方向溝に対して交差する第４方向溝とをそれぞれ所定間隔で複数条設けて該着座面を凹凸形状となし、且つ少なくとも一方の溝を軸方向の一端から他端まで延在させて、各端を外部に開放状態となしたことを特徴とするスタビライザブッシュ。
【発明の詳細な説明】
【技術分野】
【０００１】
この発明はスタビライザバーを挿通させる貫通の挿通孔を有し、剛性の固定ブラケットにより車体に固定されてスタビライザバーを車体に弾性支持させるスタビライザブッシュに関する。
【背景技術】
【０００２】
スタビライザバーは車体の傾きを減らすために取り付けられている捩り剛ばね（トーションバー）で、その両端を左右のサスペンションに取り付け、左右の車輪が上下に異なる動きをするときこれを抑制するように作用する。
例えばコーナを曲がるときサスペンションは遠心力によって外輪側が縮み、内輪側が伸びようとし、結果として車体が遠心力で外側に傾こうとする。
スタビライザバーはこのように左右の車輪が上下逆相で動くとき（ローリングするとき）捩れを発生させて、その捩れ剛性による抵抗によって左右の車輪の逆相の動きを抑制し、また捩れにより蓄えられた弾性復元力で逆相に動いた左右の車輪を速やかに元に戻すように働く。
【０００３】
このようにスタビライザバーはロール角を抑える働きを有しており、これにより車両の操縦安定性（走行安定性）が高められる。
このスタビライザバーを車体に取り付けるに当っては、振動絶縁部材としてのスタビライザブッシュを車体とスタビライザバーとの間に介在させ、スタビライザバーを車体に弾性支持させるようにする。
【０００４】
図８はスタビライザブッシュを用いたスタビライザバーの車体への弾性支持の例を示している（下記特許文献１に開示）。
同図において２００は金属棒から成るスタビライザバーで、全体として平面形状が概略コ字形状をなしており、車幅方向（車両の左右方向）にほぼ直線状に延びる中央部２００Ａが一対のスタビライザブッシュ２０２にて車体２０４に固定され、また両端の腕部２００Ｂの各端部が車輪２０６を支持するサスペンションアーム２０８に固定されている。
スタビライザブッシュ２０２は貫通の挿通孔を有するゴム弾性体製のもので、その挿通孔にスタビライザバー２００が挿通され、その状態で金属製の剛性の固定ブラケット２１４により車体２０４に固定されている。
【０００５】
図９及び図１０は従来用いられているスタビライザブッシュの例を示したもので、図中２１０はスタビライザバー２００を挿通させる貫通の挿通孔である。
図９に示しているようにスタビライザブッシュ２０２は、外周面の形状（横断面形状）が概略Ｕ字状をなしており、その外周面の軸方向両端部に突条部２１２が周方向に沿って突出形成されている。
このスタビライザブッシュ２０２には切割２１６が入れられて、その切割２１６を通じてスタビライザバー２００に軸直角方向に嵌め合され、平坦な底面２１８全体を車体２０４に着座させる状態に（即ちここでは底面２１８全体が着座面とされている）固定ブラケット２１４にて車体２０４に固定される。
【０００６】
固定ブラケット２１４は、スタビライザブッシュ２０２の外周面の形状に対応したＵ字状の嵌合部２２０と、その周方向の両端から水平に突出した固定部２２２とを有しており、スタビライザブッシュ２０２の外周面、詳しくは軸方向両端部の突条部２１２と２１２との間の外周嵌合面を、嵌合部２２０の内周面に嵌合させた状態で固定部２２２が車体２０４に固定され、スタビライザブッシュ２０２を軸直角方向に弾性圧縮した状態でこれを車体２０４に着座状態に取り付ける。
このときスタビライザブッシュ２０２の外周面は固定ブラケット２１４の内周面によって締め付けられ、かかる固定ブラケット２１４の嵌合部２２０の内周面に弾性圧接せしめられる。
【０００７】
ところでこの図９及び図１０に示すスタビライザブッシュ２０２の場合、挿通孔２１０の周壁面の全体がスタビライザバー２００の外周面に接触しているため、スタビライザバー２００に加わる捩りの入力等によって、挿通孔２１０の周壁面がスタビライザバー２００の外周面に対して滑りを生じ、その滑りによってスティックスリップ音等の異音が発生する問題を有していた。
更にこのスタビライザブッシュ２０２の場合、挿通孔２１０の周壁面全体がスタビライザバー２００の外周面に接触しているため、スタビライザバー２００がスタビライザブッシュ２０２に対して軸直角方向、特に上下方向に相対変位したときのばね特性（ばね剛性）が変位初期から硬く、このため乗り心地性能の点で不充分である問題があった。
【０００８】
後者の乗り心地性能の問題の解決を図ったものが下記特許文献２に開示されている。
図１１に示すようにこのスタビライザブッシュ２０２には、スタビライザバー２００を挿通する挿通孔２１０の上，下位置に且つ挿通孔２１０から上下に離隔した位置に、スタビライザブッシュ２０２を軸方向に貫通するすぐり部（凹所）２２４を設けている。
このスタビライザブッシュ２０２の場合、スタビライザバー２００がスタビライザブッシュ２０２に対し上下方向に相対変位したとき、変位初期におけるばね特性（ばね剛性）をすぐり部（凹所）２２４によって軟らかくすることができる。
そして相対変位が大きくなってすぐり部２２４がゴムの変形により埋まったところでばね特性が硬くなり、これにより操縦安定性を確保しつつ、乗り心地性能を向上させることができる。
【０００９】
しかしながらこの図１１に示すスタビライザブッシュ２０２の場合、スタビライザバー２００が図中上下方向に相対変位したときに、図１１（Ｂ）に示しているようにすぐり部２２４の周縁部、特に周方向端部に大きな歪みが発生してそこから亀裂が発生し易く、このことがスタビライザブッシュ２０２の耐久性低下に繋がるといった問題がある。
更にこの図１１のスタビライザブッシュ２０２においても、挿通孔２１０の周壁面全体が軸方向全長に亘ってスタビライザバー２００の外周面に弾性接触した状態にあるため、その周壁面とスタビライザバー２００の外周面との滑りによって上記のスティックスリップ音からなる異音を発生させる問題が未解決のまま残されている。
【００１０】
そこで本発明者等は、図１２（比較例図）に示す形態のスタビライザブッシュ２０２Ａを案出した。
このスタビライザブッシュ２０２Ａは、軸方向の中央部且つ挿通孔２１０の周壁面の上部及び下部に、スタビライザバー２００の外周面に弾性嵌合する半円状の内周嵌合面２２８，２２９を備え、スタビライザバー２００の軸心に向って半環状に突出する上側突出部２３０及び下側突出部２３２を設けて、それら上側突出部２３０及び下側突出部２３２にてスタビライザバー２００を上下方向に弾性的に挟むようになし、これにより挿通孔２１０における周壁面の、上側突出部２３０及び下側突出部２３２に対する軸方向の両側の上部及び下部とスタビライザバー２００の外周面との間に、周方向に半環状をなして軸端で開口する隙間２３４，２３６を形成したものである。
【００１１】
このスタビライザブッシュ２０２Ａでは、スタビライザバー２００の上下方向の相対変位の初期においては、主として上側突出部２３０又は下側突出部２３２が変形するだけであるため、初期のばね特性は軟らかく、そしてスタビライザバー２００が周壁面に対して上側突出部２３０，下側突出部２３２の軸方向の両側の部分に当ったところで、そこからのばね特性が硬くなる。
これにより、車両における乗り心地性能と操縦安定性の両方の特性を確保することができる。
【００１２】
またスタビライザブッシュ２０２Ａは、上側突出部２３０及び下側突出部２３２の内周嵌合面２２８，２２９において部分的にスタビライザバー２００の外周面に接触しているだけで、周壁面の他の部分はスタビライザバー２００の外周面に接触しておらず、このためスタビライザバー２００に加わる捩りの入力等によって周壁面全体とスタビライザバー２００とが接触状態の下で滑りを生じ、そこでスティックスリップ音を発生する問題も解決することができる。
しかしながら一方でこの図１２に示すスタビライザブッシュ２０２Ａの場合、本発明者等が試験研究を行う中で次のような別の新たな異音の発生する問題のあることが判明した。
【００１３】
上記スタビライザブッシュ２０２Ａに対しては、車輪２０６が逆相に動くときにスタビライザバー２００から図１３（Ａ）に示すようなこじり方向の力Ｆが働く。このとき挿通孔２１０の周壁面とスタビライザバー２００の外周面との間には部分的な閉鎖空間２３８が生じて、そこにエアや水が閉じ込められてしまう。
この状態で更にスタビライザバー２００が軸直角方向に変位すると、閉鎖空間２３８に閉じ込められたエアや水が圧力を受けて逃げ道を探し、そこから外部に逃げ出してその時に「プシュッ」といいたエア抜音や、「プチュッ」といった水抜音が異音として発生することが判明した。
【００１４】
更に良く研究してみると、このスタビライザブッシュ２０２Ａではそれ以外にも別の異音が発生することも観測された。
本発明者等による研究の結果、この別の異音は次のような原因により生じるものであることが確認された。
図９，図１０及び図１１に示す従来のスタビライザブッシュ２０２の場合、挿通孔２１０の周壁面全面でスタビライザバー２００からの荷重を受けるが、図１２に示すスタビライザブッシュ２０２Ａの場合、スタビライザバー２００に対し接触している部分が部分的であり、そのためスタビライザバー２００の変位の際に図１３（Ｂ）に示すようにスタビライザブッシュ２０２Ａが軸方向に伸び易くなって、固定ブラケット２１４、詳しくは嵌合部２２０に対する相対変位が大きくなる。
【００１５】
その際に水が存在していると、スタビライザブッシュ２０２Ａの外周面と固定ブラケット２１４の嵌合部２２０との間の水膜によって、スタビライザブッシュ２０２Ａの外周面と固定ブラケット２１４の嵌合部２２０とが軸方向に相対変位する際に「ピチャッピチャッ」といった音が発生し、更にまた固定ブラケット２１４に対してスタビライザブッシュ２０２Ａが延ばされることによる「キュッキュッ」といった音が発生し、そしてそれらの複合した音が異音として発生することが判明した。
【００１６】
【特許文献１】特開２００１−２７１８６０号公報
【特許文献２】実開昭６０−１３８８１６号公報
【発明の開示】
【発明が解決しようとする課題】
【００１７】
本発明は以上のような事情を背景とし、操縦安定性とともに乗り心地性能が良好であり、且つ異音の問題も解決されたスタビライザブッシュを提供することを目的としてなされたものである。
【課題を解決するための手段】
【００１８】
而して請求項１のものは、スタビライザバーを挿通させる貫通の挿通孔を有し、外周面が剛性の固定ブラケットの嵌合部の内周面に弾性圧接状態に嵌合されて該固定ブラケットにより車体に固定され、該スタビライザバーを該車体に弾性支持させるゴム弾性体製のスタビライザブッシュにおいて、軸方向の中央部且つ前記挿通孔の周壁面の上部及び下部に、前記スタビライザバーの外周面に弾性嵌合する内周嵌合面を備え、該スタビライザバーの軸心に向い突出する部分環状の上側突出部及び下側突出部をそれぞれ設け、それら上側突出部及び下側突出部にて該スタビライザバーを上下方向に弾性的に挟むようになすとともに、前記周壁面の、前記上側突出部及び下側突出部に対する軸方向の両側の上部及び下部と該スタビライザバーの外周面との間に、周方向に部分環状をなして軸端で開口する上側隙間及び下側隙間を形成せしめ、且つ該周壁面の軸方向両側の上部及び下部に、軸方向に延び軸端で外部に開放されてエア，水を軸方向に排出可能な上側軸方向溝及び下側軸方向溝を周方向に沿って複数条設けるとともに、それら軸方向溝を周方向に連絡する上側周方向溝及び下側周方向溝を設けたことを特徴とする。
【００１９】
請求項２のものは、請求項1において、前記挿通孔が上下方向に長円状をなしているとともに前記上側突出部及び下側突出部が半環状に突出していて前記内周嵌合面が半円状をなしており、前記上側周方向溝及び下側周方向溝がそれら突出部に沿って半円状に且つそれら突出部に対し軸方向に隣接した位置に設けられていることを特徴とする。
【００２０】
請求項３のものは、請求項１，２の何れかにおいて、前記周壁面は、上下方向の中間部且つ車体の前後方向の両側の部分が前記スタビライザバーの外周面に対して軸方向全長に亘り押圧状態に弾性接触する前後方向の支持面とされていることを特徴とする。
【００２１】
請求項４のものは、請求項１〜３の何れかにおいて、前記外周面の前記固定ブラケットの嵌合部の内周面に嵌合接触する外周嵌合面の全面に亘って、第１方向溝と該第１方向溝に対して交差する第２方向溝とをそれぞれ所定間隔で複数条設けて、該外周嵌合面の全面を凹凸形状となし、且つ少なくとも一方の溝を該外周嵌合面の軸方向の一端から他端まで延在させて、各端を外部に開放状態としたことを特徴とする。
【００２２】
請求項５のものは、請求項４において、前記第１方向溝が軸方向に延びる溝であり、前記第２方向溝が周方向に延びる溝であることを特徴とする。
【００２３】
請求項６のものは、請求項４，５の何れかにおいて、前記外周面の軸方向の両端部に、周方向に沿って延びる突条部が設けられており、前記少なくとも一方の溝が該突条部の軸方向内側の内面まで延びていることを特徴とする。
【００２４】
請求項７のものは、請求項１〜６の何れかにおいて、前記固定ブラケットによる固定によって前記車体に弾性圧接状態に着座せしめられる底面の着座面の全面に亘って、第３方向溝と該第３方向溝に対して交差する第４方向溝とをそれぞれ所定間隔で複数条設けて該着座面を凹凸形状となし、且つ少なくとも一方の溝を軸方向の一端から他端まで延在させて、各端を外部に開放状態となしたことを特徴とする。
【発明の作用・効果】
【００２５】
上記のように本発明は、軸方向の中間部で挿通孔の周壁面から突出させた上側突出部及び下側突出部によりスタビライザバーを上下方向に弾性的に挟むようにして、周壁面のそれら突出部に対する軸方向の両側の上部及び下部とスタビライザバーの外周面との間に、周方向に部分環状をなす隙間を形成せしめ、更に周壁面の軸方向両側の上部及び下部に、軸方向に延びて軸端で外部に開放された上部軸方向溝及び下部軸方向溝を周方向に沿って複数条設けるとともに、それら軸方向溝を周方向に連絡する上部周方向溝及び下部周方向溝を設けたものである。
【００２６】
本発明によれば、図１３（Ａ）に示すようにスタビライザバー２００がスタビライザブッシュに対してこじり方向に相対変位し、更にその状態で軸直角方向（上下方向）に相対変位した場合においても、スタビライザバーと挿通孔の周壁面との間の隙間のエアや水等が軸方向溝を通じて外部へと容易に逃げることができ、これにより閉じ込められたエアや水が外部へ逃げる際に発生するエア抜け音や水抜け音が異音として発生する問題を解決することができる。
【００２７】
本発明では、このような軸方向溝が周方向に沿って複数形成されるとともに、それらが周方向溝にて互いに連絡されているため、図１３に示す状態において何れかの軸方向溝が万一閉鎖されることがあっても、隙間内のエアや水は周方向溝を通じて他の軸方向溝へと移り、そこから外部へと逃げることができる。
従って本発明によれば確実にエア抜け音や水抜け音に起因する異音の発生を防止することができる。
【００２８】
その他に本発明のスタビライザブッシュは、軸方向の中央部において突出させた上側突出部及び下側突出部にてスタビライザバーを上下に挟み込んで、これを弾性支持するものであることから、スタビライザバーの相対変位の際の初期において軟らかいばね特性を、また一定以上変位した後において硬いばね特性を確保することができ、乗り心地性能と操縦安定性との何れの特性をも充足することができる。
【００２９】
更に本発明のスタビライザブッシュは、それら突出部の内周嵌合面においてスタビライザバーの外周面に弾性嵌合しているに過ぎず、他の部分においては隙間を形成せしめて非接触状態となるため、挿通孔の周壁面全面がスタビライザバーの外周面に密着接触することによって、スタビライザバーの捩り等の変位の際におけるスティックスリップ音の発生も有効に防止することができる。
【００３０】
本発明においては、挿通孔を上下方向の長円形状となすとともに、上側突出部及び下側突出部を半環状に突出させてそれらの内周嵌合面を半円状となし、また上側周方向溝及び下側周方向溝をそれら突出部に沿って半円状に且つそれぞれの突出部に対し軸方向に隣接した位置に設けておくことができる（請求項２）。
このようにしておくことで、スタビライザバーが相対変位した場合においても、複数の軸方向溝をかかる周方向溝にて確実に連絡した状態を保つことができ、隙間内のエアや水をそれら軸方向溝にて確実に円滑に逃すことができる。
【００３１】
本発明においてはまた、周壁面の上下方向の中間部であって車体の前後方向の両側の部分については、スタビライザバーの外周面に対して軸方向全長に亘り押圧状態に弾性接触する前後方向の支持面となしておくことができる（請求項３）。
スタビライザバーからスタビライザブッシュに対して入力する軸直角方向の荷重は主として上下方向であり、従って上下方向については軟らかなばね特性を確保すべく突出部にて部分的にスタビライザバーの外周面を挟み込むようにする必要がある一方で、スタビライザブッシュへのスタビライザバーからの前後方向の荷重入力は少なく、スタビライザブッシュの前後方向のばね特性を特に軟らかくしておくことは必要ではない。
従って周壁面の上下方向の中間部且つ車体の前後方向の両側の部分をスタビライザバーの外周面に対し、軸方向全長に亘り弾性接触させても支障はない。
【００３２】
この請求項３ではこの点に着目して、挿通孔の周壁面を上下方向の中間部且つ車体の前後方向の両側の部分を、軸方向全長に亘りスタビライザバーの外周面に押圧状態に弾性接触させるようになしたもので、このことによりスタビライザブッシュとスタビライザバーとの締結力を効果的に高め得て、スタビライザブッシュによるスタビライザバーの弾性支持力を高めることができる。
【００３３】
次に請求項４は、スタビライザブッシュにおける固定ブラケットの嵌合部の内周面に嵌合する外周嵌合面に全面に亘って、互いに交差する第１方向溝と第２方向溝とをそれぞれ所定間隔で複数条設け、且つ少なくとも一方の溝を軸方向の一端から他端まで延在させて各端を外部に開放したものである。
この請求項４によれば、スタビライザブッシュの外周嵌合面と固定ブラケットの嵌合部の内周面との間に水膜が形成されるのを効果的に抑制することができるとともに、それらスタビライザブッシュの外周嵌合面と固定ブラケットの嵌合部の内周面との間のエアや水を、それら第１方向溝と第２方向溝とで円滑に外部へと逃すことができ、スタビライザブッシュの外周面と嵌合部との間の相対変位による異音の発生を良好に防止することができる。
【００３４】
この場合において第１方向溝を軸方向に延びる溝となし、また第２方向溝を周方向に延びる溝となしておくことができる（請求項５）。
またこれら第１方向溝と第２方向溝とを碁盤目状に形成しておくことができる。
更にこの場合において少なくとも一方の溝を、スタビライザブッシュの軸方向両端部の周方向に沿った突条部の軸方向内側の内面まで延在させておくことができる（請求項６）。
【００３５】
ここで上記軸方向の溝は溝深さを０．５〜１．５ｍｍとしておくことができ、また外周面の溝は溝深さを０．１５〜０．４ｍｍとしておくことができる。
【００３６】
次に請求項７は、固定ブラケットによる固定によって車体に弾性圧接せしめられるスタビライザブッシュの底面の着座面についても、その全面に亘って互いに交差する第３方向溝と第４方向溝とをそれぞれ所定間隔で複数条設けておき、且つ少なくとも一方の溝を軸方向の一端から他端まで延在させて、各端を外部に開放状態となしたものである。
【００３７】
このようにしておけば、スタビライザブッシュの底面と車体との間に挟み込まれたエアや水が、それら溝を通じて円滑に外部へと逃げることができ、それら底面と車体との間にエアや水が挟まれ、底面と車体との擦れによって異音が発生するのを防止することができる効果が得られる。
この底面においても第３方向溝を軸方向溝となし、また第４方向溝を軸直角方向の溝となしておくことができる。
また第３方向溝と第４方向溝とを碁盤目状に設けておくことができる。
ここで底面の溝は、溝深さを０．１５〜０．４ｍｍとしておくことができる。
【発明を実施するための最良の形態】
【００３８】
次に本発明の実施形態を図面に基づいて詳しく説明する。
図１〜図３において、１０はスタビライザバー１２を車体１４に弾性支持させるためのゴム弾性体製のスタビライザブッシュで、１６はスタビライザブッシュ１０を車体１４に固定する金属製の剛性の固定ブラケットである。
固定ブラケット１６は、横断面形状がＵ字状をなす嵌合部１８と、その周方向端で水平に折れ曲った、固定孔２０を有する固定部２２とを有しており、その固定部２２において車体１４に固定されるようになっている。
【００３９】
スタビライザブッシュ１０は、外周面の形状（横断面形状）がＵ字状をなしている。
この外周面の軸方向両端部には、周方向に沿って延びるＵ字状の突条部２４が設けられている。
スタビライザブッシュ１０は、それら一対の突条部２４が固定ブラケット１６における嵌合部１８の軸端面に対向する状態に、外周嵌合面２６が嵌合部１８の内周面に嵌合され、その状態で固定ブラケット１６により平坦な底面２８を車体１４に弾性圧接状態に着座させる状態に車体１４に固定される。
即ちここでは底面２８全体が車体１４への着座面とされている。
【００４０】
スタビライザブッシュ１０は、スタビライザバー１２を挿通する貫通の挿通孔３０を有している。ここで挿通孔３０は上下方向に長円状をなしている（図１，図３参照）。そしてこの挿通孔３０の周壁面３０Ａの軸方向中央部且つ上部と下部とに、図１及び図２に示しているようにスタビライザバー１２の軸心に向って半環状に突出する上側突出部３２及び下側突出部３４が設けられている。
これら上側突出部３２及び下側突出部３４は、半円状の内周嵌合面３５及び３６を有しており、それらをスタビライザバー１２の外周面に弾性嵌合させる状態にかかるスタビライザバー１２を上下方向に弾性的に挟み込み、スタビライザバー１２を弾性支持する。
【００４１】
図１に示しているように、周壁面３０Ａの上側突出部３２及び下側突出部３４に対する軸方向の両側の上部とスタビライザバー１２の外周面との間、及び下部とスタビライザバー１２の外周面との間には、それぞれ周方向に半環状をなして軸端で開口する隙間３８，４０が形成されている。
周壁面３０Ａは、これら隙間３８，４０の部分においてスタビライザバー１２に対し非接触状態とされている。
【００４２】
周壁面３０Ａにはまた、上側突出部３２及び下側突出部３４に対する軸方向の両側の部分、即ち隙間３８，４０を形成している部分において、複数の上側軸方向溝４２及び下側軸方向溝４４がそれぞれ周方向に一定間隔毎に複数条設けられている。
ここで上側軸方向溝４２及び下側軸方向溝４４は、それぞれ隙間３８，４０内のエアや水を外部に排出して、それらが隙間３８，４０に閉じ込められるのを防ぐためのもので、それぞれスタビライザバー１２の軸方向と平行に延び、且つ軸端で開放された形態をなしている。
周壁面３０Ａにはまた、隙間３８，４０を形成する部分において且つ上側突出部３２及び下側突出部３４に対し軸方向に隣接する位置において、周方向に半円状に延びる上側周方向溝４６及び下側周方向溝４８が設けられており、それら周方向溝４６，４８にて、上側軸方向溝４２及び下側軸方向溝４０が、上側突出部３２及び下側突出部３４の隣接位置で互いに連絡（連通）されている。
【００４３】
本実施形態において、これら上側軸方向溝４２及び下側軸方向溝４４は、溝深さが１ｍｍとされている。
一方上側周方向溝４６及び下側周方向溝４８は、これら上側軸方向溝４２及び下側軸方向溝４４よりも溝深さが深いものとされている。具体的にはここではその溝深さは２ｍｍとされている。
【００４４】
上記のように本実施形態においては挿通孔３０の横断面形状が上下に長い長円形状をなしている一方、上側突出部３２及び下側突出部３４の内周嵌合面３５，３６はそれぞれ半円状をなしており、上側突出部３２及び下側突出部３４のそれぞれは、上端及び下端から上下方向中間部に進むにつれて突出量が漸次減少し、挿通孔３０の上下方向の中間部でその突出がほぼ消失している。
【００４５】
上記周壁面３０Ａは、図４及び図５に示しているように上側周方向溝４６の周方向端と、下側周方向溝４８の周方向端との間の部分が、それら上側及び下側周方向溝４６，４８に対して段差形状を成す押圧面５０を成している。この押圧面５０は、上側突出部３２及び下側突出部３４間の押圧面５２と軸方向にほぼ面一をなしている。
上側軸方向溝４２及び下側軸方向溝４４は、それぞれ周壁面３０Ａの上部及び下部に部分的に設けられていて、それらの間の部分が凹凸のない平滑な面とされている。そしてこの平滑な面の上下方向の中間部が、押圧面５０及び５２とほぼ面一面をなす押圧面５４とされている。
【００４６】
本実施形態ではこれら押圧面５０，５２，５４にてスタビライザブッシュ１０の軸方向全長に亘りスタビライザバー１２の外周面に弾性接触する前後方向の支持面が構成されている。
そしてスタビライザブッシュ１０は、スタビライザバー１２を挿通孔３０に挿通させ、且つ固定ブラケット１６にて圧縮状態で車体１４に固定された状態において、周壁面３０Ａの上下方向中間部且つ車体の前後方向の両側の部分の支持面をスタビライザバー１２に弾性的に押圧接触させてこれを締め付けるようになっている。
【００４７】
図３に示しているようにスタビライザブッシュ１０の外周面、詳しくは外周嵌合面２６には、互いに直角に交差する軸方向溝（第一方向溝）５６と、周方向溝（第２方向溝）５８とが全面に亘ってそれぞれ一定ピッチで多数条設けられている。
これら軸方向溝５６及び周方向溝５８は、外周嵌合面２６と固定ブラケット１６における嵌合部１８の内周面との間のエアや水を外部に案内して排出する働きを有するもので、そのため軸方向溝５６は外周嵌合面２６の軸方向の両端で外部に開放された形態をなしている。
【００４８】
本実施形態では、これら軸方向溝５６は上記一対の突条部２４の軸方向内側の内面まで延びており、図７に示しているように同部分で軸方向溝５６が外部に開放されている。
尚この突条部２４の内面にも、軸方向溝５６と交差する周方向溝５８が形成されている。
これら軸方向溝５６及び周方向溝５８は、この実施形態では小さいピッチで多数条形成されており、エアや水を外部に案内して排出する働きの他、外周嵌合面２６を碁盤目状の凹凸形状となして、外周嵌合面２６と固定ブラケット１６の嵌合部１８の内周面との接触面積を少なくする働きも有している。
ここで軸方向溝５６及び周方向溝５８は、それぞれ溝深さ０．３ｍｍで形成されている。
【００４９】
本実施形態ではまた、底面２８にも互いに交差する軸方向溝（第３方向溝）６０と、軸直角方向溝（第４方向溝）６２とが、それぞれ一定ピッチで多数条設けられている。
これら軸方向溝６０及び軸直角方向溝６２もまた、底面２８と車体１４との間のエアや水を外部に案内して排出する働きを有するもので、上記外周嵌合面２６における軸方向溝５６及び周方向溝５８と同様のピッチで形成されており、底面２８を碁盤目状の凹凸形状となして、底面２８と車体１４との間の接触面積を少なくする働きも有している。
この底面２８の軸方向溝６０及び軸直角方向溝６２もまた、外周嵌合面２６の軸方向溝５６及び周方向溝５８と同様、溝深さ０．３ｍｍで形成されている。
【００５０】
上記のように本実施形態によれば、図６に示しているようにスタビライザバー１２がスタビライザブッシュ１０に対してこじり方向に相対変位し、更にその状態で軸直角方向（上下方向）に相対変位した場合においても、スタビライザバー１２と挿通孔３０の周壁面３０Ａとの間の隙間３８，４０のエアや水等が上側軸方向溝４２或いは下側軸方向溝４４を通じて外部へと容易に逃げることができる。
これにより、閉じ込められたエアや水が外部へ逃げる際に発生するエア抜け音や水抜け音が異音として発生する問題を解決することができる。
【００５１】
また上側軸方向溝４２及び下側軸方向溝４４は周方向に沿って複数条形成されているとともに、それらが上側周方向溝４６及び下側周方向溝４８にて互いに連絡されているため、図６に示す状態において上側軸方向溝４２の何れかが万一閉鎖されることがあったとしても、隙間３８，４０内のエアや水は上側周方向溝４６或いは下側周方向溝４８を通じて他の上側軸方向溝４２或いは下側方向溝４４へと移り、そこから外部へと逃げることができる。
従って本実施形態によれば確実にエア抜け音や水抜け音に起因する異音の発生を防止することができる。
【００５２】
その他に本実施形態のスタビライザブッシュ１０は、軸方向の中央部で突出させた上側突出部３２及び下側突出部３４にてスタビライザバー１２を上下に挟み込んで、これを弾性支持するものであることから、スタビライザバー１２の相対変位の際の初期において軟らかいばね特性を、また一定以上変位した後において硬いばね特性を確保することができ、乗り心地性能と操縦安定性との何れの特性をも充足することができる。
【００５３】
更に本実施形態のスタビライザブッシュ１０は、上側突出部３２及び下側突出部３４にてスタビライザバー１２に部分的に弾性嵌合し、他の部分においては隙間３８，４０を形成して非接触状態であるため、挿通孔３１の周壁面３０Ａ全面がスタビライザバー１２の外周面に密着接触する場合と異なって、スタビライザバー１２との滑りに起因するスティックスリップ音の発生も有効に防止することができる。
【００５４】
また上側周方向溝４６及び下側周方向溝４８をそれぞれ半円状に形成して、それぞれを上側突出部３２及び下側突出部３４に隣接して設けておくことで、スタビライザバー１２の相対変位時に複数条の軸方向溝４２，４４をかかる周方向溝４６，４８にて確実に連絡した状態を保つことができ、隙間３８，４０内のエアや水をそれら軸方向溝にて確実に円滑に逃すことができる。
【００５５】
更に挿通孔３０の周壁面３０Ａを上下方向の中間部で軸方向全長に亘りスタビライザバー１２の外周面に弾性接触させて支持するようになしていることからスタビライザブッシュ１０とスタビライザバー１２との締結力を効果的に高め得て、スタビライザブッシュ１０によるスタビライザバー１２の弾性支持力を高めることができる。
【００５６】
またスタビライザブッシュ１０の、固定ブラケット１６に嵌合する外周外周面２６に全面に亘って、互いに交差する軸方向溝５６と周方向溝５８とをそれぞれ所定間隔で多数条設け、且つ軸方向溝５６の軸端を外部に開放していることから、スタビライザブッシュ１０の外周嵌合面２６と固定ブラケット１６の嵌合部１８の内周面との間に水膜が形成されるのを効果的に抑制することができるとともに、図７に示しているようにそれら外周嵌合面２６と固定ブラケット１６の嵌合部１８の内周面との間のエアや水を、それら軸方向溝５６と周方向溝５８とで円滑に外部へと逃すことができ、外周嵌合面２６と嵌合部１８との間の相対変位による異音の発生も良好に防止することができる。
【００５７】
加えてスタビライザブッシュ１０の底面２８においても全面に亘って互いに交差する軸方向溝５６と軸直角溝６５とをそれぞれ碁盤目状に形成して、それぞれの末端を外部に開放状態としているため、底面２８と車体１４との間に挟み込まれたエアや水がそれら溝を通じて円滑に外部へと逃げることができ、底面２８と車体１４との間においても異音の発生を良好に防止することができる。
【００５８】
以上本発明の実施形態を詳述したが、これはあくまで一例示である。
例えば周壁面３０Ａの上側軸方向溝４２及び下側軸方向溝４４は、スタビライザバー１２の軸方向と平行方向に設けておくことが望ましいが、場合によって軸方向と平行方向に対してある程度傾いた状態で設けておいても良い。
更に外周嵌合面２６及び底面２８の軸方向溝もまた同様に、軸方向と平行方向に対しある程度傾けて設けておくこともできる。
これら軸方向溝を厳密に軸方向と平行方向に設けた場合或いは傾けた場合の何れにおいても、周方向溝５８や軸直角方向溝６２を、それら軸方向溝５６，６０に対しそれぞれ直角方向に交差する状態で設け得ることは勿論、斜めに交差する状態で設けることも可能である。
【００５９】
更に上記の上側周方向溝及び下側周方向溝はあくまで一例を示したに過ぎないもので、これを他の形態で設けることも可能であるなど、本発明はその趣旨を逸脱しない範囲において種々変更を加えた形態で構成可能である。
【図面の簡単な説明】
【００６０】
【図１】本発明の一実施形態のスタビライザブッシュをスタビライザバーとの組付け状態で示した側面図（一部断面図）である。
【図２】図１に示すスタビライザブッシュを図１とは９０°異なった方向で切断して示す断面図である。
【図３】同実施形態のスタビライザブッシュを固定ブラケットともに示す斜視図である。
【図４】同実施形態のスタビライザブッシュを単体で示す断面図である。
【図５】図４（Ａ）のＶ−Ｖ断面図である。
【図６】同実施形態のスタビライザブッシュの作用説明図である。
【図７】図とは異なる作用説明図である。
【図８】従来のスタビライザブッシュをその取付例とともに示す図である。
【図９】従来のスタビライザブッシュを固定ブラケットとともに示した図である。
【図１０】従来のスタビライザブッシュのスタビライザバーとの組付状態を示す図である。
【図１１】図８とは異なる従来のスタビライザブッシュを示す図である。
【図１２】比較例としてのスタビライザブッシュを示す比較例図である。
【図１３】図１２のスタビライザブッシュの不具合の説明図である。
【符号の説明】
【００６１】
１０  スタビライザブッシュ
１２  スタビライザバー
１４  車体
１６  固定ブラケット
１８  嵌合部
３０  挿通孔
３０Ａ  周壁面
３２  上側突出部
３４  下側突出部
３５，３６  内周嵌合面
３８，４０  隙間
４２  上側軸方向溝
４４  下側軸方向溝
４６  上側周方向溝
４８  下側周方向溝
５６  軸方向溝（第１方向溝）
５８  周方向溝（第２方向溝）
６０  軸方向溝（第３方向溝）
６２  軸直角方向溝（第４方向溝）
【図１】
2007112318.tif 000003
【図２】
2007112318.tif 000004
【図３】
2007112318.tif 000005
【図４】
2007112318.tif 000006
【図５】
2007112318.tif 000007
【図６】
2007112318.tif 000008
【図７】
2007112318.tif 000009
【図８】
2007112318.tif 000010
【図９】
2007112318.tif 000011
【図１０】
2007112318.tif 000012
【図１１】
2007112318.tif 000013
【図１２】
2007112318.tif 000014
【図１３】
2007112318.tif 000015